(57)【要約】【課題】シグナリングにより数多くのOAM項目の設定を行うことは困難であるという、課題があった。【解決手段】通信装置10,30,40間でパス設定要求にかかるメッセージを送受信することによりパスの設定を行う機能を有するネットワークにおけるパスのOAM設定方法であって、通信装置10,30,40は、複数のOAM設定項目を一まとめにしたOAMプロファイルをOAM設定IDに対応付けて保持する。パスを確立する際にパスの経路上の通信装置10,30,40間でパスに適用するOAM設定IDを付加したメッセージを送受信する。パスの経路上の各通信装置10,30,40は、メッセージに付加されたOAM設定IDに対応して保持するOAMプロファイルに従って、パスのOAM設定を行う。【選択図】図１
2011135133.tif 000002
【特許請求の範囲】
【請求項１】
パスの始点、中継点および終点となる通信装置間でパス設定要求にかかるメッセージを送受信することにより前記パスの設定を行う機能を有するネットワークにおける前記パスのOAM設定方法であって、
各々の前記通信装置は、複数のOAM設定項目を一まとめにしたOAMプロファイルをOAM設定IDに対応付けて保持し、
前記パスを確立する際に前記パスの経路上の通信装置間で前記メッセージを送受信する際に、前記メッセージに前記パスに適用する前記OAM設定IDを付加して送受信し、
前記パスの経路上の各通信装置は、前記メッセージに付加されたOAM設定IDに対応して保持する前記OAMプロファイルに従って、前記パスのOAM設定を行う
ことを特徴とするネットワークにおけるパスのOAM設定方法。
【請求項２】
パスの経路上の他の通信装置とパス設定要求にかかるメッセージを送受信することによりネットワーク上に前記パスの設定を行う機能を有する複数の通信装置で構成されたネットワークシステムであって、
前記複数の通信装置のそれぞれは、複数のOAM設定項目を一まとめにしたOAMプロファイルをOAM設定IDに対応付けて保持する記憶手段と、前記パスを確立する際に前記パスの経路上の通信装置間で前記メッセージを送受信する際に、前記メッセージに前記パスに適用する前記OAM設定IDを付加して送受信するシグナリング処理手段と、前記メッセージに付加されたOAM設定IDに対応して前記記憶手段に記憶された前記OAMプロファイルに従って、前記パスのOAM設定を行うOAM設定手段とを備えることを特徴とするネットワークシステム。
【請求項３】
パスの経路上の他の通信装置とパス設定要求にかかるメッセージを送受信することによりネットワーク上に前記パスの設定を行う機能を有する通信装置であって、
複数のOAM設定項目を一まとめにしたOAMプロファイルをOAM設定IDに対応付けて保持する記憶手段と、
前記パスを確立する際に前記パスの経路上の通信装置間で前記メッセージを送受信する際に、前記メッセージに前記パスに適用する前記OAM設定IDを付加して送受信するシグナリング処理手段と、
前記メッセージに付加されたOAM設定IDに対応して前記記憶手段に記憶された前記OAMプロファイルに従って、前記パスのOAM設定を行うOAM設定手段と
を備えることを特徴とする通信装置。
【請求項４】
自装置に登録されたOAMプロファイルとOAM設定IDとの組を自装置に接続された他の通信装置に広告することにより、同じOAMプロファイルを他の通信装置と共有するOAMプロファイル広告手段を備える
ことを特徴とする請求項３に記載の通信装置。
【請求項５】
前記シグナリング処理手段は、パス設定要求にかかるメッセージを受信した際に、パス設定要求で指定されたパスIDに対応して当該メッセージで指定されたOAM設定IDを自装置のパス情報テーブルに記憶し、
前記OAM設定手段は、前記シグナリング処理手段が前記パス設定要求に対する応答メッセージを送信ないし受信した際に、前記パス情報テーブルに記憶した前記OAM設定IDに対応するOAMプロファイルを参照して当該パスのOAM設定を行う
ことを特徴とする請求項３または４に記載の通信装置。
【請求項６】
前記ネットワークが自律分散型ネットワークである
ことを特徴とする請求項３乃至５の何れか１項に記載の通信装置。
【請求項７】
前記ネットワークが、ASON/GMPLSネットワークである
ことを特徴とする請求項３乃至６の何れか１項に記載の通信装置。
【請求項８】
パスの経路上の他の通信装置とパス設定要求にかかるメッセージを送受信することによりネットワーク上に前記パスの設定を行う機能を有する通信装置を構成するコンピュータを、
複数のOAM設定項目を一まとめにしたOAMプロファイルをOAM設定IDに対応付けて保持する記憶手段と、
前記パスを確立する際に前記パスの経路上の通信装置間で前記メッセージを送受信する際に、前記メッセージに前記パスに適用する前記OAM設定IDを付加して送受信するシグナリング処理手段と、
前記メッセージに付加されたOAM設定IDに対応して前記記憶手段に記憶された前記OAMプロファイルに従って、前記パスのOAM設定を行うOAM設定手段と
して機能させるためのプログラム。
【発明の詳細な説明】
【技術分野】
【０００１】
本発明はネットワークにおけるパスのOAM設定方法に関し、特にパス設定時に同時にそのパスのOAM設定を行うことができるパスのOAM設定方法に関する。
【背景技術】
【０００２】
ASON(Automatically Switched Optical Network)/GMPLS(Generalized Multi-Protocol Label Switching)など、自律分散的にパスの設定を行うことができる自律分散制御機能を備えたネットワーク（自律分散型ネットワーク）が、提案されている（例えば、特許文献１参照）。このような自律分散型ネットワークにおいては、パスの設定は以下のようにして行われる。
【０００３】
パスを設定する場合、保守者は、パスの始点となる通信装置（始点通信装置）に対して、始点通信装置の装置IDと、パスの終点となる通信装置（終点通信装置）の装置IDと、パスIDとを入力する。これらの情報が入力されると、始点通信装置は、終点通信装置に向かってパス設定要求を送出する。このパス設定要求には、始点通信装置の装置IDと、終点通信装置の装置IDと、パスIDとが含まれる。パス設定要求には、更に、経路情報が含まれる場合もある。
【０００４】
始点通信装置からのパス設定要求を受信した隣接通信装置は、パス設定要求の送信元とは別の隣接通信装置へパス設定要求を送信する。ここで、パス設定要求に経路情報が含まれている場合はそれに従って転送先の通信装置を決定し、含まれていない場合は自装置で保持しているトポロジー情報を利用して転送先の通信装置を決定する。このような転送処理が繰り返し行われ、終点通信装置にパス設定要求が到達する。
【０００５】
終点通信装置は、パス設定要求を受信すると、ラベル予約、スイッチ設定などのパス設定にかかるハードウェア制御を実施し、パス設定要求が送られてきた経路とは逆の経路で、パス設定要求に対する応答を送信する。この応答には、始点通信装置の装置ID、終点通信装置の装置ID、パスID、ラベル（パケットに付された固定長ラベル、タイムスロット、波長など）などが含まれている。この応答を受信した隣接通信装置は、パス設定にかかるハードウェア制御を実施し、パス設定要求が送られてきた経路とは逆の経路で、パス設定要求に対する応答を送信する。このような転送処理が繰り返し行われ、パス設定要求に対する応答が始点通信装置へ到達し、始点通信装置においてもパス設定にかかるハードウェア制御が実施される。これにより、始点通信装置と終点通信装置との間に、パス設定要求によって要求されたパスが設定される。
【０００６】
上述のように、パスを確立するために、パスの始点となる通信装置から終点となる通信装置へパス設定要求が送信され、このパス設定要求の経路と逆方向の経路で応答が送信されることにより、各通信装置におけるリソースの確保やスイッチの制御が行われる手順を一般にシグナリングと呼ぶ。また、シグナリングのために通信装置間で送受信されるデータを、シグナリングメッセージあるいは単にシグナリングと呼ぶ。
【０００７】
ところで、通信ネットワークでは、パスの品質をチェックするために様々なOAM(Operation Administration and Maintenance)設定を実施する。これらのOAM設定は、通常はNMS(Network Management System)などの集中管理型の管理システムからパス経路上の装置に対して個別に実施されている。具体的には、図11に示されるように、CLI(Command Line Interface)101からの要求でASON/GMPLSのシグナリングにより装置10--装置30--装置40にパスを設定した後、OAM設定のためにNMS100からパス経路上の装置(装置10,
装置30, 装置40)に対してOAM設定を個別に実施する。
【０００８】
一方、IETF(Internet Engineering Task Force)において、GMPLSネットワークでのOAM機能が検討されており、非特許文献1に詳細な記載がある。この中では、シグナリングでパスのOAM設定を実施する方式が提案されている。
【先行技術文献】
【特許文献】
【０００９】
【特許文献１】特開２００６−３１９７５８号公報
【非特許文献】
【００１０】
【非特許文献１】"IETF Internet-Draft, OAMConfiguration Framework and Requirements for GMPLS RSVP-TE"、[online]、 [平成21年12月10日検索]、インターネット、〈URL:http://tools.ietf.org/id/draft-ietf-ccamp-oam-configuration-fwk-01.txt〉
【発明の概要】
【発明が解決しようとする課題】
【００１１】
しかしながら、シグナリングでパスのOAM設定をすべて記述する場合には、メッセージ量が増大する。従って、実質的には、必要最低限のOAM設定しかサポートできず、ベンダ独自のOAM項目(アラームの重要度判定基準やパフォーマンスモニタの設定、そのパスで特定のアラームを検出するかどうかの設定など)には対応できない。伝送システムのパスOAMでは、設定項目が多くベンダ独自の設定も含まれるため、シグナリングにこれら全てのOAM項目の情報を載せて、シグナリングのパス設定と同時にOAM設定を実施することは困難である。このため、シグナリングでパス設定をした後に、不足分のOAM設定はNMSから(またはCLI端末で)パス経路上の装置に個別に設定する必要が生じる。シグナリング実施後にNMSなどの集中管理システムから個別にOAM設定を実施しなければならないとすると、自律分散制御の利点であるラピッドプロビジョニング(設定の迅速化)が実現できないことになる。
【００１２】
本発明の目的は、シグナリングにより数多くのOAM項目の設定を行うことは困難である、という課題を解決するネットワークにおけるパスのOAM設定方法を提供することにある。
【課題を解決するための手段】
【００１３】
本発明の一形態にかかるネットワークにおけるパスのOAM設定方法は、パスの始点、中継点および終点となる通信装置間でパス設定要求にかかるメッセージを送受信することにより上記パスの設定を行う機能を有するネットワークにおける上記パスのOAM設定方法であって、各々の上記通信装置は、複数のOAM設定項目を一まとめにしたOAMプロファイルをOAM設定IDに対応付けて保持し、上記パスを確立する際に上記パスの経路上の通信装置間で上記メッセージを送受信する際に、上記メッセージに上記パスに適用する上記OAM設定IDを付加して送受信し、上記パスの経路上の各通信装置は、上記メッセージに付加されたOAM設定IDに対応して保持する上記OAMプロファイルに従って、上記パスのOAM設定を行う、という構成を採る。
【発明の効果】
【００１４】
本発明は上述したように構成されているため、シグナリング時に数多くのOAM項目の設定を実施することが可能になる。これにより、自律分散制御の利点であるラピッドプロビジョニング(設定の迅速化)が実現できる。
【図面の簡単な説明】
【００１５】
【図１】本発明の第1の実施形態にかかるネットワークの構成を示すブロック図である。
【図２】本発明の第2の実施形態にかかるネットワークで用いる通信装置の構成を示すブロック図である。
【図３】本発明の第2の実施形態におけるOAMProfileの広告動作の説明に用いるネットワークを示す図である。
【図４】本発明の第2の実施形態においてネットワーク上すべての装置でOAM Profileを共有する動作のシーケンスを示す図である。
【図５】本発明の第2の実施形態においてネットワーク上すべての装置でOAM Profileを共有する動作の詳細を示す図である。
【図６】本発明の第2の実施形態におけるOAMProfile情報を利用したシグナリングによるパス設定動作の説明に用いるネットワークを示す図である。
【図７】本発明の第2の実施形態におけるOAMProfile情報を利用したシグナリングによるパス設定動作のシーケンスを示す図である。
【図８】本発明の第2の実施形態におけるOAMProfile情報を利用したシグナリングによるパス設定動作の詳細を示す図である。
【図９】本発明の第3の実施形態においてNMSからネットワーク上の全ての装置に対して、OAM Profile情報を登録する動作の説明に用いるネットワークを示す図である。
【図１０】本発明の第3の実施形態においてNMSからネットワーク上の全ての装置に対して、OAM Profile情報を登録する動作の詳細を示す図である。
【図１１】NMSなどの集中管理型の管理システムからパス経路上の装置に対して個別にOAM設定を実施する動作の説明に用いるネットワークを示す図である。
【発明を実施するための形態】
【００１６】
次に、本発明の実施形態について図面を参照して説明する。
【００１７】
[第１の実施形態]
まず、図1を参照して、本発明の第１の実施形態にかかるネットワークシステムについて説明する。図1は、本発明の第1の実施形態にかかるネットワークシステムの構成を示すブロック図である。
【００１８】
[構成]
図１を参照すると、本発明の第１の実施形態にかかるネットワークシステムは、複数の装置10〜装置50と、これらの装置間を接続するリンクとで構成されている。
【００１９】
各装置10〜装置50は、ASON/GMPLSなどの自律分散型ネットワーク対応の通信装置であり、パスの経路上の他の通信装置との間でパス設定要求にかかるメッセージを送受信することにより、ネットワーク上に前記パスの設定を行うシグナリング機能を有している。
【００２０】
また各装置10〜50は、複数のOAM設定項目を一まとめにしたOAMプロファイル情報11〜51をOAM設定IDに対応付けて保持する記憶手段を備えている。これらのOAMプロファイル情報11〜51は、ネットワーク上で同じものが共有されている。OAMプロファイル情報の共有は、NMSなどの集中管理型の管理システムから実施してもよいし、ルーティングプロトコルを用いて実施してもよい。
【００２１】
また各装置10〜50は、パスを確立するために、そのパスの経路上の通信装置間でシグナリングメッセージを送受信する際に、そのシグナリングメッセージに当該パスに適用するOAM設定IDを付加して送受信するシグナリング処理手段と、シグナリングメッセージに付加されたOAM設定IDに対応して記憶手段に記憶されたOAMプロファイル11〜51に従って、パスのOAM設定を行うOAM設定手段とを備えている。
【００２２】
[動作]
本実施形態において、ASON/GMPLSでのパス設定シグナリング実行時には、設定するパスに適用するOAMプロファイルの識別子（OAM設定ID）をシグナリングに付加して、パスの経路上の通信装置10〜50間でシグナリングメッセージを送受信する。
【００２３】
パスの経路上の各通信装置10〜50は、メッセージに付加されたOAM設定IDに対応して保持するOAMプロファイル情報11〜51に従って、パスのOAM設定を行う。これにより各装置10〜50において、パス設定時に適切なOAM設定を実施することができる。OAM設定は、OAMプロファイル情報に記述されたOAM項目ごとに従来と同様の方法で実施される。
【００２４】
[効果]
このようにして、OAMの詳細な設定項目をプロファイル化してネットワーク上の装置10〜50でそのOAMプロファイルを共有し、ASON/GMPLS等の自律分散型パス設定のためのシグナリングにOAM設定Profileの識別子（OAM設定ID）を載せてパス経路上の装置間で伝達することにより、パス設定時に同時に必要なOAM設定を実施することが可能となる。
【００２５】
[第２の実施形態]
次に、図2を参照して、本発明の第2の実施形態にかかるネットワークシステムについて説明する。図2は、本発明の第2の実施形態にかかるネットワークシステムで用いられる通信装置の構成を示すブロック図である。
【００２６】
[構成]
図2において、装置10は、複数のOAM設定項目を一まとめにして識別子(OAM Profile ID)を付与したOAM Profile情報DB11を保持しており、このOAM Profile情報はCLI101からOAM Profile登録処理部13を通して設定・変更することが可能である。また、装置10は、その装置に設定されたパスの情報を管理するパス情報DB12を保持している。パス情報DB12には、このパスと関連するOAM Profileの識別子(ID)が登録されている。
【００２７】
装置10のOAM Profile広告処理部14は、装置10に登録されたOAM Profile情報DB11をネットワーク上の他の装置(図2では、装置20)に対して広告する。広告されたOAM Profileは、広告を受信した装置のOAM Profile広告処理部(図1では装置20のOAM広告処理部24)で処理され、装置20のOAM Profile情報DB21に登録される。この広告動作によりOAM Profileは、ネットワーク上のすべての装置で共有することが可能である。なお、OAM Profile情報の共有は、広告動作を用いずNMSなどの管理システムから実施することも可能である。
【００２８】
パスの設定では、CLI101から装置10のパス登録処理部15を通してパス設定を要求する。このとき、事前に登録したOAM Profile情報の識別子も指定する。装置10では、パス情報DB12に設定を要求されたパスの情報を登録し、シグナリング処理部16にシグナリング実施を依頼する。シグナリング処理部16は、パス経路上の装置(図2では装置20)に対してシグナリングを実施する。シグナリングを受信した装置のシグナリング処理部(図2では、装置20のシグナリング処理部26)は、シグナリングに搭載されたパスの情報(OAM Profile識別子を含む)をパス情報DB22に登録する。パス情報が更新されると、各装置のパス/OAM H/W制御部は、パスのためのH/W制御を実施するとともに、指定されたOAM Profileの識別子に従いパスのOAM設定を実施する。
【００２９】
[動作]
[OAM Profile情報広告の動作]
次に図3のネットワーク構成を例にとってOAM Profileの広告動作を説明する。
【００３０】
まず、CLI端末101から装置10に対して、OAM Profileの設定を実施する。OAM Profileを設定された装置10は、ネットワーク上の自分と接続している他の装置(図3では装置20と装置30)に対して、このOAM Profileを広告し、共有する。広告を受信した装置20と装置30もまた、ネットワーク上の自分と接続している他の装置(装置30の例では装置40と装置50)に対して、広告されたOAM Profileを広告する。一般的なルーティングプロトコルと同様にこのような動作を繰り返すことで、ネットワーク上すべての装置でOAM Profileを共有することができる。この動作をシーケンスとして記述したものが図4である。OAM Profileの広告では、OAM Profileの識別子(OAM Profile ID)とともにOAM Profileの内容を広告する。
【００３１】
この動作をより詳細に示したものが図5である。図5では、まずCLI101より装置10にOAM Profile(OAM Profile ID=3)の設定を実施する。装置10では、OAM Profile登録処理部13がCLIからのOAM Profile情報をOAM Profile情報DB11に登録する。OAM Profile情報DB11が更新されると、OAM Profile広告処理部14は、更新されたOAM Profile情報(ID=3)をネットワーク上の自分が接続された装置(装置20および装置30)に広告する。広告の内容には、CLIから設定されたOAM Profile情報と同じ情報が含まれる。
【００３２】
装置10からのOAM Profile情報広告を受信した装置20では、OAM Profile広告処理部24がこの広告をうけて、OAM Profile登録処理部23にOAM Profile情報(ID=3)の登録を要求する。以上の動作で装置20のOAM Profile情報DBにも装置10に登録されたOAM Profile ID=3のOAM Profile情報が登録される。
【００３３】
装置10からのOAM Profile情報広告を受信した装置30では、OAM Profile広告処理部34がこの広告をうけてOAM Profile登録処理部33にOAM Profile情報(ID=3)の登録を要求する。装置30には装置40と装置50が接続されているが、これらの装置はOAM Profile情報(ID=3)を保持していないため、装置30からOAM Profile情報の広告を実施する。接続先の装置が当該OAM Profile情報を保持しているかいないかは予め知っておく必要がある。この方法についてはOSPF等の既存のルーティングプロトコルと同等の手段が適用できるため、ここでは詳細な説明は省略する。
【００３４】
OAM Profile情報DB31が更新されると、OAM Profile広告処理部34は、更新されたOAM Profile情報(ID=3)をネットワーク上の自分が接続された装置(装置40および装置50)に広告する。広告の内容には、装置10に対してCLIから設定されたOAM Profile情報と同じ情報が含まれる。
【００３５】
装置30からのOAM Profile情報広告を受信した装置40および装置50の動作は、前述した装置20の場合と同様であるため省略する。
【００３６】
なお、OAM Profile情報の広告では一般のルーティングプロトコル等と同じく、広告量削減のために差分のみの広告を行う、広告情報の正当性チェックのためにハッシュデータを添付する、などの工夫が行われることがある。
【００３７】
[OAM Profile情報を利用したシグナリングによるパス設定動作]
次に図6のネットワーク構成を例にとって、OAM Profile情報を利用したシグナリングによるパス設定動作について説明する。
【００３８】
まず、CLI端末101から装置10に対してパス設定を要求する。このとき、このパスに対してどのOAM Profileを利用してOAM設定を実施するかをユーザがOAM Profile IDで指定しておく。パス設定要求を受けた装置10は、指定された(もしくは自ら選択した)経路に従ってシグナリングを実施する。ここでは装置10--装置30--装置40をパスの経路とする。シグナリング実施時にパス設定によるH/W制御とともに、ユーザから指定されたOAM Profile IDに対応するOAM Profileを用いてパスのOAM設定も実施する。この結果、ネットワークにパス111が設定され運用される。この動作をシーケンスとして記述したものが図7である。パス設定要求のシグナリング実施時にこのパスに利用するOAM Profile IDをシグナリングメッセージに載せておき、パス系路上の各装置で共通のパスOAM設定を実施する。OAM Profile IDを載せるシグナリングメッセージ中の箇所は任意である。例えば、パスメッセージの中のLSP_ATTRIBUTESオブジェクトにOAM Profile IDを含めることが考えられる。
【００３９】
この動作をより詳細に示したものが図8である。図8ではまずCLI101より、装置10にパス設定要求を出す。このとき、パスIDとともに、このパスのパスOAMに利用するOAM Profile IDを指定する。装置10のパス登録処理部15がパス設定要求を処理し、パス情報DB12にパス情報を登録する。パス情報DB12には指定されたOAM Profile IDも記録する。パス情報DB12が更新されると、装置10のシグナリング処理部16は、パス上の次の経路である装置30に対して、このOAM設定に利用するOAM Profile IDを含んだパス設定要求シグナリングを送信する。パス設定要求シグナリングを受信した装置30のシグナリング処理部36は、パス設定要求シグナリングで受信したOAM Profile IDがOAM Profile 情報DB31に登録済みであるかチェックする。OAM Profile IDが登録済みであることが確認できれば、シグナリング処理部36はパス登録処理部35にパス登録を要求し、パス情報DB32にシグナリングで受信したパス情報を登録する。このときOAM Profile IDもパス情報DB12に記録する。パス情報DB32が更新されると、装置10のシグナリング処理部36は、パス上の次の経路である装置40に対してこのOAM設定に利用するOAM Profile IDを含んだパス設定要求シグナリングを送信する。パス設定要求シグナリングを受信した装置40のシグナリング処理部46は、パス設定要求シグナリングで受信したOAM Profile IDがOAM Profile 情報DB41に登録済みであるかチェックする。OAM Profile IDが登録済みであることが確認できれば、シグナリング処理部36はパス登録処理部35にパス登録を要求し、パス情報DB32にシグナリングで受信したパス情報を登録する。このときOAM Profile IDもパス情報DB12に記録する。装置40はパスの端点であるため、パス/OAM H/W制御部47にこのパスのためのH/W制御とOAM設定を要求する。設定が完了すると、装置40はシグナリング処理部46から装置30に対してパス設定応答のシグナリングを実施する。パス設定応答シグナリングを受信した装置30では、シグナリング処理部36がパス/OAM H/W制御部37にこのパスのためのH/W制御とOAM設定を要求する。設定が完了すると、装置30はシグナリング処理部36から装置10に対してパス設定応答のシグナリングを実施する。パス設定応答シグナリングを受信した装置10では、シグナリング処理部16がパス/OAM H/W制御部17にこのパスのためのH/W制御とOAM設定を要求する。
【００４０】
以上の手順によりOAM Profile情報を利用したシグナリングによるパスOAM設定が実現できる。
【００４１】
[効果]
以上説明したように、本実施形態においては、ネットワークシステムにおいて設定項目をグルーピングしたOAM Profileをネットワーク上の装置で共有しているので、使用するOAM ProfileのIDをシグナリングに載せるだけで、パスの始点、中継点、終点の各通信装置で同じOAM Profile、つまり設定すべき多数のOAM項目を共通に認識できる。このため、僅かなメッセージ量だけで詳細なパスOAM設定をシグナリング時に実施できることになる。
【００４２】
[第３の実施形態]
[OAM Profile情報の手動設定]
OAM Profileの情報を広告して共有するかわりに、NMSなどの集中管理型の管理システムを利用してOAM Profile情報を共有することもできる。図9にNMSからネットワーク上の全ての装置に対して、OAM Profile情報を登録する動作について説明する。NMSから全ての装置に対してOAM Profileの登録を要求する。図10は、この動作の詳細を記述する。
【００４３】
図10を参照すると、NMS100から装置10, 装置20, 装置30, 装置40, 装置50に対してOAM Profileの設定要求が送信される。OAM Profile設定要求を受信した各装置は、OAM Profile登録処理部13, 23, 33, 43, 53を通してOAM Profile情報DB11, 21, 31, 41, 51にOAM Profileを登録する。この場合は、NMSから全ての装置に対してOAM Profile情報が登録されているため、装置間でのOAM Profileの広告は不要である。
【００４４】
（付記１）
パスの始点、中継点および終点となる通信装置間でパス設定要求にかかるメッセージを送受信することにより前記パスの設定を行う機能を有するネットワークにおける前記パスのOAM設定方法であって、
各々の前記通信装置は、複数のOAM設定項目を一まとめにしたOAMプロファイルをOAM設定IDに対応付けて保持し、
前記パスを確立する際に前記パスの経路上の通信装置間で前記メッセージを送受信する際に、前記メッセージに前記パスに適用する前記OAM設定IDを付加して送受信し、
前記パスの経路上の各通信装置は、前記メッセージに付加されたOAM設定IDに対応して保持する前記OAMプロファイルに従って、前記パスのOAM設定を行う
ことを特徴とするネットワークにおけるパスのOAM設定方法。
（付記２）
各々の前記通信装置は、自装置に登録されたOAMプロファイルとOAM設定IDとの組を自装置に接続された他の通信装置に広告することにより、同じOAMプロファイルを他の通信装置と共有する
ことを特徴とする付記１に記載のネットワークにおけるパスのOAM設定方法。
（付記３）
前記パスの経路上の各通信装置は、パス設定要求にかかるメッセージを受信した際に、パス設定要求で指定されたパスIDに対応して当該メッセージで指定されたOAM設定IDを自装置のパス情報テーブルに記憶し、前記パス設定要求に対する応答メッセージを送信ないし受信した際に、前記パス情報テーブルに記憶した前記OAM設定IDに対応するOAMプロファイルを参照して当該パスのOAM設定を行う
ことを特徴とする付記１または２に記載のネットワークにおけるパスのOAM設定方法。
（付記４）
前記ネットワークが自律分散型ネットワークである
ことを特徴とする付記１乃至３の何れか１項に記載のネットワークにおけるパスのOAM設定方法。
（付記５）
前記ネットワークが、ASON/GMPLSネットワークである
ことを特徴とする付記１乃至４の何れか１項に記載のネットワークにおけるパスのOAM設定方法。
【００４５】
（付記６）
パスの経路上の他の通信装置とパス設定要求にかかるメッセージを送受信することによりネットワーク上に前記パスの設定を行う機能を有する複数の通信装置で構成されたネットワークシステムであって、
前記複数の通信装置のそれぞれは、複数のOAM設定項目を一まとめにしたOAMプロファイルをOAM設定IDに対応付けて保持する記憶手段と、前記パスを確立する際に前記パスの経路上の通信装置間で前記メッセージを送受信する際に、前記メッセージに前記パスに適用する前記OAM設定IDを付加して送受信するシグナリング処理手段と、前記メッセージに付加されたOAM設定IDに対応して前記記憶手段に記憶された前記OAMプロファイルに従って、前記パスのOAM設定を行うOAM設定手段とを備えることを特徴とするネットワークシステム。
【００４６】
（付記７）
パスの経路上の他の通信装置とパス設定要求にかかるメッセージを送受信することによりネットワーク上に前記パスの設定を行う機能を有する通信装置であって、
複数のOAM設定項目を一まとめにしたOAMプロファイルをOAM設定IDに対応付けて保持する記憶手段と、
前記パスを確立する際に前記パスの経路上の通信装置間で前記メッセージを送受信する際に、前記メッセージに前記パスに適用する前記OAM設定IDを付加して送受信するシグナリング処理手段と、
前記メッセージに付加されたOAM設定IDに対応して前記記憶手段に記憶された前記OAMプロファイルに従って、前記パスのOAM設定を行うOAM設定手段と
を備えることを特徴とする通信装置。
（付記８）
自装置に登録されたOAMプロファイルとOAM設定IDとの組を自装置に接続された他の通信装置に広告することにより、同じOAMプロファイルを他の通信装置と共有するOAMプロファイル広告手段を備える
ことを特徴とする付記７に記載の通信装置。
（付記９）
前記シグナリング処理手段は、パス設定要求にかかるメッセージを受信した際に、パス設定要求で指定されたパスIDに対応して当該メッセージで指定されたOAM設定IDを自装置のパス情報テーブルに記憶し、
前記OAM設定手段は、前記シグナリング処理手段が前記パス設定要求に対する応答メッセージを送信ないし受信した際に、前記パス情報テーブルに記憶した前記OAM設定IDに対応するOAMプロファイルを参照して当該パスのOAM設定を行う
ことを特徴とする付記７または８に記載の通信装置。
（付記１０）
前記ネットワークが自律分散型ネットワークである
ことを特徴とする付記７乃至９の何れか１項に記載の通信装置。
（付記１１）
前記ネットワークが、ASON/GMPLSネットワークである
ことを特徴とする付記７乃至１０の何れか１項に記載の通信装置。
【００４７】
（付記１２）
パスの経路上の他の通信装置とパス設定要求にかかるメッセージを送受信することによりネットワーク上に前記パスの設定を行う機能を有する通信装置を構成するコンピュータを、
複数のOAM設定項目を一まとめにしたOAMプロファイルをOAM設定IDに対応付けて保持する記憶手段と、
前記パスを確立する際に前記パスの経路上の通信装置間で前記メッセージを送受信する際に、前記メッセージに前記パスに適用する前記OAM設定IDを付加して送受信するシグナリング処理手段と、
前記メッセージに付加されたOAM設定IDに対応して前記記憶手段に記憶された前記OAMプロファイルに従って、前記パスのOAM設定を行うOAM設定手段と
して機能させるためのプログラム。
【符号の説明】
【００４８】
10,20,30,40,50…通信装置
11,21,31,41,51…パス情報DB
【図１】
2011135133.tif 000003
【図２】
2011135133.tif 000004
【図３】
2011135133.tif 000005
【図４】
2011135133.tif 000006
【図５】
2011135133.tif 000007
【図６】
2011135133.tif 000008
【図７】
2011135133.tif 000009
【図８】
2011135133.tif 000010
【図９】
2011135133.tif 000011
【図１０】
2011135133.tif 000012
【図１１】
2011135133.tif 000013